(57)【要約】【課題】複数のレンズ群を、精度良く保持することのできるレンズ鏡筒を提供する。【解決手段】本発明のレンズ鏡筒は、第１レンズを保持する第１レンズ保持枠（３１）と、前記第１レンズとは異なる第２レンズを保持する第２レンズ保持枠（３２）と、前記第１及び第２レンズの光軸に沿って配置されるとともに、前記第１レンズ保持枠（３１）と前記第２レンズ保持枠（３２）とを移動可能に支持するガイド軸（５，６，７）と、前記第１レンズ保持枠（３１）と前記第２レンズ保持枠（３２）とを一体的に連結する支柱（４５，４６，４７）と、を備えること、を特徴とする。【選択図】図１
2010122647.tif 000002
【特許請求の範囲】
【請求項１】
第１レンズを保持する第１レンズ保持枠と、
前記第１レンズとは異なる第２レンズを保持する第２レンズ保持枠と、
前記第１及び第２レンズの光軸に沿って配置されるとともに、前記第１レンズ保持枠と前記第２レンズ保持枠とを移動可能に支持するガイド軸と、
前記第１レンズ保持枠と前記第２レンズ保持枠とを一体的に連結する支柱と、を備えること、
を特徴とするレンズ鏡筒。
【請求項２】
請求項１に記載のレンズ鏡筒であって、
前記支柱が、前記ガイド軸に近接して配置されていること、
を特徴とするレンズ鏡筒。
【請求項３】
請求項１または２に記載のレンズ鏡筒であって、
前記第１レンズ保持枠と第２レンズ保持枠の少なくとも一方は、前記ガイド軸に係合する係合部と前記支柱を支持する支持部とが、前記光軸の方向について同じ位置に配置されること、
を特徴とするレンズ鏡筒。
【請求項４】
請求項１〜３のいずれか１項に記載のレンズ鏡筒であって、
前記支柱を複数備え、その複数の支柱の長さが互いに異なること、
を特徴とするレンズ鏡筒。
【請求項５】
請求項１〜４のいずれか１項に記載のレンズ鏡筒であって、
前記第１レンズ保持枠または前記第２レンズ保持枠の少なくとも一方は、前記光軸に交差する方向から前記支柱を固定する固定部材を有すること、
を特徴とするレンズ鏡筒。
【請求項６】
請求項１〜５に記載のレンズ鏡筒であって、
前記第１レンズ保持枠と前記第２レンズ保持枠との間に、前記第１レンズ及び前記第２レンズと異なる第３レンズを保持する第３レンズ保持枠が配置され、
前記第３レンズ保持枠の前記ガイド軸に対する係合部の位置が、前記第１レンズ保持枠と第２レンズ保持枠の少なくとも一方の前記ガイド軸に係合する係合部に対して、前記光軸方向で異なること、
を特徴とするレンズ鏡筒。
【請求項７】
請求項１〜６までのいずれか１項に記載のレンズ鏡筒であって、
前記支柱は複数設けられ、
前記第１レンズ保持枠又は前記第２レンズ保持枠の一方が前記複数の支柱と係合する位置は、前記光軸の方向について同じ位置であること、
を特徴とするレンズ鏡筒。
【請求項８】
請求項１〜７のいずれか１項に記載のレンズ鏡筒を備える光学機器。
【発明の詳細な説明】
【技術分野】
【０００１】
本発明は、レンズ鏡筒および光学機器に関するものである。
【背景技術】
【０００２】
従来、レンズ鏡筒は、複数のレンズ群を備え、それらのレンズ群は、ズーミングやフォーカシング時に光軸に沿って移動する。そして、これらの複数のレンズ群において２以上のレンズ群が、筒部材で一体的に連結されているものがある（例えば、特許文献１参照）。
【先行技術文献】
【特許文献】
【０００３】
【特許文献１】特開２００７−９３９７５号公報
【発明の概要】
【発明が解決しようとする課題】
【０００４】
しかし、レンズ鏡筒内の空間は限られているため、筒部材で連結する場合、他の部材との配置の関係で筒部材の形状が複雑になるため、筒部材の成形時にひずみが生じ、光学系の性能を低下させることになる。
【０００５】
本発明の課題は、複数のレンズ群を、精度良く保持できるようにすることである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、第１レンズを保持する第１レンズ保持枠（３１）と、前記第１レンズとは異なる第２レンズを保持する第２レンズ保持枠（３２）と、前記第１及び第２レンズの光軸に沿って配置されるとともに、前記第１レンズ保持枠（３１）と前記第２レンズ保持枠（３２）とを移動可能に支持するガイド軸（５，６，７）と、前記第１レンズ保持枠（３１）と前記第２レンズ保持枠（３２）とを一体的に連結する支柱（４５，４６，４７）と、を備えること、を特徴とするレンズ鏡筒（１）である。
請求項２に記載の発明は、請求項１に記載のレンズ鏡筒（１）であって、前記支柱（４５，４６，４７）が、前記ガイド軸（５，６，７）に近接して配置されていること、を特徴とするレンズ鏡筒（１）である。
請求項３に記載の発明は、請求項１または２に記載のレンズ鏡筒（１）であって、前記第１レンズ保持枠（３１）と第２レンズ保持枠（３２）の少なくとも一方は、前記ガイド軸（５，６，７）に係合する係合部（３６ａ１，３６ｂ１）と前記支柱（４５，４６，４７）を支持する支持部（３６ａ２，３６ｂ２）とが、前記光軸の方向について同じ位置に配置されること、を特徴とするレンズ鏡筒（１）である。
請求項４に記載の発明は、請求項１〜３のいずれか１項に記載のレンズ鏡筒（１）であって、前記支柱（４５，４６，４７）を複数備え、その複数の支柱（４５，４６，４７）の長さが互いに異なること、を特徴とするレンズ鏡筒（１）である。
請求項５に記載の発明は、請求項１〜４のいずれか１項に記載のレンズ鏡筒（１）であって、前記第１レンズ保持枠（３１）または前記第２レンズ保持枠（３２）の少なくとも一方は、前記光軸に交差する方向から前記支柱（４５，４６，４７）を固定する固定部材（６０）を有すること、を特徴とするレンズ鏡筒（１）である。
請求項６に記載の発明は、請求項１〜５までのいずれか１項に記載のレンズ鏡筒（１）であって、前記第１レンズ保持枠（３１）と前記第２レンズ保持枠（３２）との間に、前記第１レンズ及び前記第２レンズと異なる第３レンズを保持する第３レンズ保持枠（３３）が配置され、前記第３レンズ保持枠（３３）の前記ガイド軸（５，６，７）に対する係合部（３７ａ，３７ｂ，３７ｃ）の位置が、前記第１レンズ保持枠と第２レンズ保持枠の少なくとも一方の前記ガイド軸に係合する係合部に対して、前記光軸方向で異なること、を特徴とするレンズ鏡筒（１）である。
請求項７に記載の発明は、請求項１〜６までのいずれか１項に記載のレンズ鏡筒（１）であって、前記支柱（４５，４６，４７）は複数設けられ、前記第１レンズ保持枠（３１）または前記第２レンズ保持枠（３２）の一方が前記複数の支柱（４５，４６，４７）と係合する位置は、前記光軸の方向について同じ位置であること、を特徴とするレンズ鏡筒（１）である。
請求項８に記載の発明は、請求項１〜７のいずれか１項に記載のレンズ鏡筒（１）を備える光学機器である。
なお、符号を付して説明した構成は、適宜改良してもよく、また、少なくとも一部を他の構成物に代替してもよい。
【発明の効果】
【０００８】
本発明によれば、複数のレンズ群を、精度良く保持できるようにすることができる。
【図面の簡単な説明】
【０００９】
【図１】本発明の一実施形態のレンズ鏡筒を示す斜視図である。
【図２】レンズ保持枠を移動させた状態を示す斜視図である。
【発明を実施するための形態】
【００１０】
以下、図面等を参照して、本発明の実施形態について説明する。図１及び図２は、本発明の一実施形態のレンズ鏡筒１の斜視図である。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
図１及び図２に示すように、レンズ鏡筒１は、Ｚ方向マイナス側の後側レンズ群３０と、Ｚプラス側の前側レンズ群４０と、前側フランジ８と、後側フランジ９と、両端部でこれらのフランジ８、９を連結する３本の第１ガイド軸５、第２ガイド軸６、第３ガイド軸７とを備えている。これらの構成部品が組み立てられ、この組立体が図示しない外筒内に挿入されることによりレンズ鏡筒１が形成される。ここで、第１ガイド軸５、第２ガイド軸６、及び第３ガイド軸７はいずれも光軸Ａと平行となるように延びている。
【００１２】
前側フランジ８は、３本のガイド軸５，６，７のＺプラス側の端部にネジ止めされている。前側レンズ群４０はフランジ８を貫通しており、フォーカスレンズとして機能する。前側レンズ群４０はヘリコイド環４１に取り付けられている。ヘリコイド環４１は円周上にスリーブ４１ａを有し、それぞれのスリーブ４１ａにガイド軸５，６，７が挿入されている。ヘリコイド環４１の内側と前側レンズ群４０の外側の対応部分には、公知のヘリコイドが形成され、これによりねじ嵌合している。ヘリコイド環４１を光軸Ａ方向に前後移動させることによってズーミングが行われ、前側レンズ群４０を光軸回りに回転させることによってフォーカス調整が行われる。
【００１３】
レンズ鏡筒１の光軸Ａ方向のＺ方向マイナス側には、レンズマウント３５が取り付けられており、レンズマウント３５には後側フランジ９がネジで締結されている。レンズマウント３５はカメラへの取り付けを行うものである。
【００１４】
後側レンズ群３０は図示しない第１レンズを保持する第１レンズ保持枠３１と、図示しない第２レンズを保持する第２レンズ保持枠３２と、図示しない第３レンズを保持する第３レンズ保持枠３３とを備える。第３レンズ保持枠３３は第１レンズ保持枠３１と第２レンズ保持枠３２との間に位置している。
【００１５】
第１レンズ保持枠３１と第２レンズ保持枠３２とは、第１連結ロッド４５、第２連結ロッド４６、第３連結ロッド４７によって連結され、一体的に光軸Ａ方向に移動する。これらのレンズ保持枠３１，３２，３３が光軸Ａに沿って移動することにより後側レンズ群３０によるズーム調整が行われる。
【００１６】
これらの連結ロッド４５，４６，４７はそれぞれガイド軸５，６，７に近接して配置され、互いに光軸Ａ方向の長さが異なるとともに、それぞれ第１ガイド軸５、第２ガイド軸６、第３ガイド軸７と同様に光軸Ａと平行となっている。
【００１７】
第１レンズ保持枠３１は外周側に延びた３つの腕部３６ａ，３６ｂ，３６ｃを有している。これらのうち腕部３６ａ，３６ｂは、図１に示すように、光軸Ａ方向で異なった位置に設けられている。腕部３６ａ，３６ｂには、それぞれ貫通孔３６ａ１，３６ｂ１がガイド軸５，６との係合部として設けられ、第１腕部３６ａの貫通孔３６ａ１にはガイド軸５が貫通し、第２腕部３６ｂの貫通孔３６ｂ１には第２ガイド軸６が貫通している。
【００１８】
また、３つの腕部３６ａ，３６ｂ，３６ｃは、３本の連結ロッド４５，４６，４７を支持する支持部３６ａ２，３６ｂ２，３６ｃ２をそれぞれ備える。支持部３６ａ２，３６ｂ２，３６ｃ２は、それぞれ連結ロッド４５，４６，４７を挿入する開口部を備え、連結ロッド４５，４６，４７はそれら開口部に挿入され、光軸Ａに交差する方向からネジ６０ａ，６０ｂ，６０ｃで固定されている。腕部３６ａ，３６ｂ，３６ｃに対して連結ロッド４５，４６，４７が連結されることにより、連結筒３４に対して第１レンズ保持枠３１の安定した支持が可能となり、第１レンズ保持枠３１は円滑に光軸Ａ方向に移動することができる。
【００１９】
第２レンズ保持枠３２は、第２レンズを保持する第２レンズ室３９と、第２レンズ室３９から前側レンズ群４０側に延びる連結筒３４とを備える。連結筒３４には、第１レンズ保持枠３１の３つの腕部３６ａ，３６ｂ，３６ｃに対応して３つの腕部３８ａ，３８ｂ，３８ｃ（腕部３８ａは図示せず）が形成されている。これらの腕部３８ａ，３８ｂ，３８ｃは、光軸Ａの方向について同じ位置に設けられている。
【００２０】
第１レンズ保持枠３１の腕部３６ａ，３６ｂ，３６ｃの支持部３６ａ２，３６ｂ２，３６ｃ２に固定された連結ロッド４５，４６，４７は、連結筒３４の腕部３８ａ，３８ｂ，３８ｃにそれぞれ固定される。これにより、連結ロッド４５，４６，４７は光軸Ａの方向について同じ位置で連結筒３４の腕部３８ａ，３８ｂ，３８ｃと連結されている。
【００２１】
すなわち、第１レンズ保持枠３１の第１腕部３６ａと連結筒３４の第１腕部３８ａとが第１連結ロッド４５によって連結され、第１レンズ保持枠３１の第２腕部３６ｂと連結筒３４の第２腕部３８ｂとが第２連結ロッド４６によって連結され、第１レンズ保持枠３１の第３腕部３６ｃと連結筒３４の第３腕部３８ｃとが第３連結ロッド４７によって連結される。
【００２２】
第１レンズ保持枠３１及び第２レンズ保持枠３２の間に配置されている第３レンズ保持枠３３は３つの腕部３７ａ，３７ｂ，３７ｃを備えている。そして、第１腕部３７ａにはガイド軸５が貫通し、第２腕部３７ｂには第２ガイド軸６が貫通し、第３腕部３７ｃには第３ガイド軸７が貫通している。第３レンズ保持枠３３はガイド軸５，６，７に沿って光軸Ａ方向に移動する。第３レンズ保持枠３３は、腕部３７ａ，３７ｂ，３７ｃが光軸Ａ方向において異なった位置となっており、これによりガイド軸５，６，７に安定的に支持され、第３レンズ保持枠３３は円滑に光軸Ａ方向に移動することができる。
【００２３】
本実施形態のレンズ鏡筒１の組み立ては、次のようにして行う。まず、第２レンズ保持枠３２の連結筒３４の第３腕部３８ｃに第３ガイド軸７を貫通させる。そして、第３レンズ保持枠３３の第１腕部３７ａ、第２腕部３７ｂ及び第３腕部３７ｃに第１ガイド軸５、第２ガイド軸６及び第３ガイド軸７をそれぞれ貫通させる。その後、第１レンズ保持枠３１の第１腕部３６ａの貫通孔３６ａ１に第１ガイド軸５を貫通させ、第２腕部３６ｂの貫通孔３６ｂ１に第２ガイド軸６を貫通させる。その後、第１レンズ保持枠３１の腕部３６ａ，３６ｂ，３６ｃと連結筒３４の対応した腕部３８ａ，３８ｂ，３８ｃとを連結ロッド４５，４６，４７によって連結する。
【００２４】
第１レンズ保持枠３１と連結ロッド４５，４６，４７との連結はネジによって行う。第１レンズ保持枠３１の腕部３６ａ，３６ｂ，３６ｃの支持部３６ａ２，３６ｂ２，３６ｃ２に、それぞれ連結ロッド４５，４６，４７を挿入する。そして、腕部３６ａ，３６ｂ，３６ｃにおける光軸Ａに交差する方向からネジ６０ａ，６０ｂ，６０ｃをねじ込み、連結ロッド４５，４６，４７を第１レンズ保持枠３１の腕部３６ａ，３６ｂ，３６ｃに固定する。このように、腕部３６ａ，３６ｂ，３６ｃと連結ロッド４５，４６，４７との固定は、ネジ６０ａ，６０ｂ，６０ｃを光軸Ａに交差する方向からねじ込むことにより行われる。このため、光軸方向において、例えばドライバを挿入するスペースがない場合であっても、腕部３６ａ，３６ｂ，３６ｃと連結ロッド４５，４６，４７とを固定することができる。一方、連結ロッド４５，４６，４７と第２レンズ保持枠３２とは、光軸Ａ方向の被写体側よりネジで固定されている。
【００２５】
以上のような組み立てでは、第１ガイド軸５、第２ガイド軸６、第３ガイド軸７の一方の端から連結筒３４、第３レンズ保持枠３３、第１レンズ保持枠３１を順次組み付けることができる。これにより、同じ軌跡で移動する複数の異なったレンズ保持枠を精度良く連結することができる。
【００２６】
以上、本実施形態によると、以下の効果を有する。
（１）形状が単純な支柱は加工が容易で、高精度に仕上げることが出来る。このような単純形状の支柱によりレンズ群を連結したので、レンズ群相互の位置関係は高い精度を保って組立てが可能となり、光学系の光軸を一致させ易い。
（２）第１レンズ保持枠３１と第２レンズ保持枠３２の連結筒３４とを連結ロッド４５，４６，４７によって連結することにより、第１レンズ保持枠３１と第２レンズ保持枠３２とが一体的に移動可能となる。
（３）連結ロッド４５，４６，４７が、ガイド軸５，６，７に近接して配置されているため、スペース効率が良い。
（４）第１レンズ保持枠３１の腕部３６ａ，３６ｂに、ガイド軸５，６に係合する貫通孔３６ａ１，３６ｂ１と、連結ロッド４５，４６を支持する支持部３６ａ２，３６ｂ２とが設けられているため、スペース効率が良い。
（５）第１レンズ保持枠３１の腕部３６ａ，３６ｂが光軸Ａ方向の異なった位置でガイド軸５，６に連結されるため、第１レンズ保持枠３１を安定して支持することができ、第１レンズ保持枠３１及び連結筒３４によって連結されている第２レンズ保持枠３２が安定して移動することができる。
（６）上述のように、腕部３６ａ，３６ｂ，３６ｃと連結ロッド４５，４６，４７との固定は、ネジ６０ａ，６０ｂ，６０ｃを光軸Ａに交差する方向からねじ込むことにより行われる。このため、光軸方向において、例えばドライバを挿入するスペースがない場合であっても、腕部３６ａ，３６ｂ，３６ｃと連結ロッド４５，４６，４７とを固定することができる。
（７）第１レンズ保持枠３１と第２レンズ保持枠３２の間に、第３レンズ保持枠３３が配置され、第３レンズ保持枠３３のガイド軸５，６，７に対する係合部３７ａ，３７ｂ，３７ｃの位置が、光軸方向で異なっているため、第３レンズ保持枠３３を安定して支持することができる。
（８）連結ロッド４５，４６，４７と第２レンズ保持枠３２とが係合する位置は、光軸Ａの方向について同じ位置であるため、第２レンズ保持枠３２を連結ロッド４５，４６，４７に連結しやすい。
【００２７】
（変形形態）
以上、説明した実施形態に限定されることなく、以下に示すような種々の変形や変更が可能であり、それらも本発明の範囲内である。
（１）本実施形態では、カメラに適用されるレンズ鏡筒について説明したが、本発明では、これに限定されず、高倍率ズームや顕微鏡等の他の光学機器に適用されるレンズ鏡筒であってもよい。
（２）また、本実施形態では、ガイド軸及び連結ロッドを３本としているが、本発明はこれに限定されず、ガイド軸や連結ロッドの本数はそれ以上であってもよい。
（３）本実施形態では、レンズ保持枠が３つである例を説明したが、レンズ保持枠は３以上であってもよい。
なお、実施形態及び変形形態は、適宜組み合わせて用いることもできるが、詳細な説明は省略する。また、本発明は以上説明した実施形態によって限定されることはない。
【符号の説明】
【００２８】
１：レンズ鏡筒、５，６，７：ガイド軸、３１：第１レンズ保持枠、３２：第２レンズ保持枠、３３：第３レンズ保持枠、３４：連結筒、３６ａ，３６ｂ，３６ｃ：腕部、３７ａ，３７ｂ，３７ｃ：腕部、３８ａ，３８ｂ，３８ｃ：腕部、６０：ネジ
【図１】
2010122647.tif 000003
【図２】
2010122647.tif 000004